【手続補正書】
【提出日】平成19年9月4日(2007.9.4)
【手続補正１】
【補正対象書類名】特許請求の範囲
【補正対象項目名】全文
【補正方法】変更
【補正の内容】
【特許請求の範囲】
【請求項１】
複数の識別情報から構成される所定の図柄を変動表示を経て停止表示させる可変表示手段と、
前記可変表示手段に特定図柄が停止表示された場合に特別遊技を実行する特別遊技実行手段と、
前記特別遊技実行手段の作動に起因して作動する可変入賞手段と、
前記特別遊技の終了を契機として、前記特別遊技の発生とは別の遊技上の特典を遊技者に付与する特典付与手段と、
を備える遊技機であって、
前記可変表示手段に、前記特定図柄として、前記複数の識別情報の全てが同一の組み合わせとされる第１の特定図柄が停止表示されると、前記特別遊技実行手段が、前記可変入賞手段を遊技球受入可能な開放状態に変化させる第１の特別遊技を実行すると共に、該第１の特別遊技の終了を契機として、前記特典付与手段が、前記可変表示手段に前記特定図柄が停止表示される確率を高確率に変動させる特典を付与し、
前記可変表示手段に、前記特定図柄として、前記複数の識別情報の全てが同一でない組み合わせとされる第２の特定図柄が停止表示されると、前記特別遊技実行手段が、前記可変入賞手段を遊技球受入可能であるものの前記第１の特別遊技に比べて受入可能性が低い開放状態に変化させる第２の特別遊技を実行すると共に、該第２の特別遊技の終了を契機として、前記特典付与手段が、前記図柄の変動表示の時間を短くする特典を付与することを特徴とする遊技機。
【請求項２】
複数の識別情報から構成される所定の図柄を変動表示を経て停止表示させる可変表示手段と、
前記可変表示手段に特定図柄が停止表示された場合に特別遊技を実行する特別遊技実行手段と、
前記特別遊技実行手段の作動に起因して作動する可変入賞手段と、
前記特別遊技の終了を契機として、前記特別遊技の発生とは別の遊技上の特典を遊技者に付与する特典付与手段と、
を備える遊技機であって、
前記可変表示手段に、前記特定図柄として、前記複数の識別情報の全てが同一の組み合わせとされる第１の特定図柄が停止表示されると、前記特別遊技実行手段が、前記可変入賞手段を遊技球受入可能な開放状態に変化させる第１の特別遊技を実行すると共に、該第１の特別遊技の終了を契機として、前記特典付与手段が、前記可変表示手段に前記特定図柄が停止表示される確率を高確率に変動させる特典を付与し、
前記可変表示手段に、前記特定図柄として、前記複数の識別情報の全てが同一でない組み合わせとされる第２の特定図柄が停止表示されると、前記特別遊技実行手段が、前記可変入賞手段を遊技球受入可能であるものの前記第１の特別遊技に比べて受入可能性が低い開放状態に変化させる第２の特別遊技を実行すると共に、該第２の特別遊技の終了を契機として、前記特典付与手段が、前記可変表示手段に前記特定図柄が停止表示される確率を高確率に変動させる特典および前記図柄の変動表示の時間を短くする特典のいずれか一方又は両方を付与することを特徴とする遊技機。
【請求項３】
前記特典付与手段によって前記図柄の変動表示の時間を短くする特典の付与が開始された後、前記可変表示手段によって前記特定図柄が表示されることなく、前記変動表示を所定回数、連続して行った場合に、
前記特典付与手段による特典の付与を終了することを特徴とする請求項１又は２に記載の遊技機。
【請求項４】
前記第２の特定図柄は、リーチ表示を経て停止表示されることを特徴とする請求項１〜３の何れか一項に記載の遊技機。
【請求項５】
前記第２の特定図柄は、リーチ表示を経ずに停止表示されることを特徴とする請求項１〜３の何れか一項に記載の遊技機。
【手続補正２】
【補正対象書類名】明細書
【補正対象項目名】００１３
【補正方法】変更
【補正の内容】
【００１３】
請求項１記載の遊技機は、
複数の識別情報から構成される所定の図柄を変動表示を経て停止表示させる可変表示手段と、
前記可変表示手段に特定図柄が停止表示された場合に特別遊技を実行する特別遊技実行手段と、
前記特別遊技実行手段の作動に起因して作動する可変入賞手段と、
前記特別遊技の終了を契機として、前記特別遊技の発生とは別の遊技上の特典を遊技者に付与する特典付与手段と、
を備える遊技機であって、
前記可変表示手段に、前記特定図柄として、前記複数の識別情報の全てが同一の組み合わせとされる第１の特定図柄が停止表示されると、前記特別遊技実行手段が、前記可変入賞手段を遊技球受入可能な開放状態に変化させる第１の特別遊技を実行すると共に、該第１の特別遊技の終了を契機として、前記特典付与手段が、前記可変表示手段に前記特定図柄が停止表示される確率を高確率に変動させる特典を付与し、
前記可変表示手段に、前記特定図柄として、前記複数の識別情報の全てが同一でない組み合わせとされる第２の特定図柄が停止表示されると、前記特別遊技実行手段が、前記可変入賞手段を遊技球受入可能であるものの前記第１の特別遊技に比べて受入可能性が低い開放状態に変化させる第２の特別遊技を実行すると共に、該第２の特別遊技の終了を契機として、前記特典付与手段が、前記図柄の変動表示の時間を短くする特典を付与することを特徴とする。
請求項２記載の遊技機は、
複数の識別情報から構成される所定の図柄を変動表示を経て停止表示させる可変表示手段と、
前記可変表示手段に特定図柄が停止表示された場合に特別遊技を実行する特別遊技実行手段と、
前記特別遊技実行手段の作動に起因して作動する可変入賞手段と、
前記特別遊技の終了を契機として、前記特別遊技の発生とは別の遊技上の特典を遊技者に付与する特典付与手段と、
を備える遊技機であって、
前記可変表示手段に、前記特定図柄として、前記複数の識別情報の全てが同一の組み合わせとされる第１の特定図柄が停止表示されると、前記特別遊技実行手段が、前記可変入賞手段を遊技球受入可能な開放状態に変化させる第１の特別遊技を実行すると共に、該第１の特別遊技の終了を契機として、前記特典付与手段が、前記可変表示手段に前記特定図柄が停止表示される確率を高確率に変動させる特典を付与し、
前記可変表示手段に、前記特定図柄として、前記複数の識別情報の全てが同一でない組み合わせとされる第２の特定図柄が停止表示されると、前記特別遊技実行手段が、前記可変入賞手段を遊技球受入可能であるものの前記第１の特別遊技に比べて受入可能性が低い開放状態に変化させる第２の特別遊技を実行すると共に、該第２の特別遊技の終了を契機として、前記特典付与手段が、前記可変表示手段に前記特定図柄が停止表示される確率を高確率に変動させる特典および前記図柄の変動表示の時間を短くする特典のいずれか一方又は両方を付与することを特徴とする。
本明細書において参考的に開示する第１の参考発明（以下、「参考発明１」という。）の遊技機は、
所定の図柄を変動表示を経て停止表示させる可変表示手段と、
該可変表示手段に特定図柄が停止表示される場合に状態を変化させる可変入賞手段と、
可変入賞手段の作動を行う作動手段と、
前記可変入賞手段に生ずる状態の変化とは別に、当該遊技機に状態の変化を生じさせる遊技状態変化手段と、を備える遊技機であって、
前記可変表示手段に表示される前記特定図柄が第１の特定図柄である場合に、前記作動手段は前記可変入賞手段を第１の作動態様に従って作動させると共に、前記遊技状態変化手段は、当該遊技機を所定条件が成立するまでの間、遊技者に有利な状態に変化させ、
前記可変表示手段に表示される前記特定図柄が第２の特定図柄である場合に、前記作動手段は前記可変入賞手段を第２の作動態様に従って作動させると共に、前記遊技状態変化手段は、当該遊技機を所定条件が成立するまでの間、遊技者に有利な状態に変化させ、
前記可変入賞手段が前記第２の作動態様に従って作動する場合には、前記可変入賞手段が前記第１の作動態様に従って作動する場合に比べて、前記可変入賞手段への遊技球の入賞率が低くされることを特徴とする。